(57)【要約】【課題】  仕掛けの錘が釣糸やリール又は釣竿の構成部材に引っ掛かって仕掛けと釣糸が絡まってしまうのを効果的に防止することができるスピニングリールを提供する。【解決手段】  リール本体と、脚部と、スプールと、ハンドルと、ロータとを備え、ハンドルの回転に連動して、ロータが回転し、スプールが前後動することで、該スプールの糸巻胴部に釣糸が巻かれるスピニングリールにおいて、  該糸巻胴部より後方に、該釣糸に取り付けられる仕掛けの錘を保持可能な構造又は部材を設ける。【選択図】  図３
2018014954.tif 000002
【特許請求の範囲】
【請求項１】
リール本体と、脚部と、スプールと、ハンドルと、ロータとを備え、ハンドルの回転に連動して、ロータが回転し、スプールが前後動することで、該スプールの糸巻胴部に釣糸が巻かれるスピニングリールにおいて、
該糸巻胴部より後方に、仕掛けの錘を保持可能な構造又は部材を有する、釣り用リール。
【請求項２】
前記錘を保持可能な構造又は部材を、前記脚部、前記スプールの後端鍔部、及び前記ロータの腕部の少なくとも１箇所に有する、請求項１に記載のスピニングリール。
【請求項３】
前記錘を保持可能な構造又は部材を、前記リール本体のハンドル設置側と反対側の側面に有する、請求項１又は２に記載のスピニングリール。
【請求項４】
前記リール本体のハンドル設置側と反対側の側面に、前記ハンドルを駆動軸に取り付けるための開口部を覆う着脱可能な蓋部を有し、該蓋部に前記錘を保持可能な構造又は部材が設けられている、請求項３に記載のスピニングリール。
【請求項５】
前記錘を保持可能な構造又は部材は、回転可能に設けられている、請求項３又は４に記載のスピニングリール。
【請求項６】
前記錘を保持可能な構造又は部材は、仕掛けの糸を導入可能な大きさの開口部が回転軸の軸方向に開口している錘保持部を有する、請求項５に記載のスピニングリール。
【請求項７】
前記錘を保持可能な構造又は部材は、前記仕掛けを通過させ又は導入でき、且つ錘を保持可能な形状及び大きさの孔及び／又は切り込みを有する、請求項１〜６の何れかに記載のスピニングリール。
【請求項８】
前記錘を保持可能な構造又は部材は、前記仕掛けを導入できるように開口し、且つ錘を保持できる形状及び大きさの切込みを有する、請求項７に記載のスピニングリール。
【請求項９】
更に、前記仕掛けの経路を決定するガイドを備える、請求項１〜８の何れかに記載のスピニングリール。
【請求項１０】
前記錘を保持可能な構造又は部材は、前記仕掛けの経路を決定するガイドとして機能可能である、請求項１〜９の何れかに記載のスピニングリール。
【請求項１１】
前記錘を保持可能な構造又は部材を２以上有し、その内の少なくとも１つが、前記仕掛けの経路を決定するガイドとして機能可能である、請求項１〜１０の何れかに記載のスピニングリール。
【請求項１２】
前記錘を保持可能な構造又は部材を、前記脚部と、前記リール本体のハンドル設置側と反対側の側面とに有し、前記脚部に有する前記錘を保持可能な構造又は部材は前記仕掛けの経路を決定するガイドとして機能可能である、請求項３〜１１の何れかに記載のスピニングリール。
【請求項１３】
更に、釣針を保持可能な構造又は部材を有する、請求項１〜１２の何れかに記載のスピニングリール。
【発明の詳細な説明】
【技術分野】
【０００１】
本発明は、スピニングリールに関し、より詳細には、仕掛けの錘が釣糸やリール又は釣竿に引っ掛かって仕掛けが絡まってしまうのを効果的に防止する構造又は部材を備えるスピニングリールに関する。
【背景技術】
【０００２】
リールを使用する釣りでは、ベールを開放して釣糸を放出し、リールを巻き取りモードにして釣糸を巻き取る操作が行なわれるが、釣糸を巻き取った際、竿の先端から延出する釣糸の部分は、ぶらぶらした状態でその動きは制限されない。釣糸の端部には仕掛けが取り付けられるが、通常、仕掛けは釣針や錘を含み、これらが、釣糸やリール又は釣竿の突出部分等に引っ掛かって仕掛けの糸が絡んでしまうことがある。
【０００３】
このようなトラブルを防ぐには、釣糸や仕掛けを固定することが効果的である。
このため、釣人が釣針を釣竿のガイド又はフックキーパーに係止して仕掛けを固定することがある。しかし、このような場合には、釣針によって釣竿やガイドが傷付き、これが釣糸の切断を引き起こすことがある。
【０００４】
これに対して、釣糸を係止する部材をリール本体に設けることや（特許文献１及び２）、釣針を係止する部材を釣竿に設けることが提案されている（特許文献３）。
しかしながら、釣糸を係止する部材をリール本体に設けるリールでは、釣針や錘を有する仕掛け部分が遊んでしまい、これらが、釣糸やリール又は釣竿の突出部分などに引っ掛かり、仕掛けが絡まるのを防止できない。また、係止した釣り糸は、係止部材により釣り糸の表面が傷付くことが有り、糸切れを起こすこともある。
また、釣針を係止する部材を釣竿に設ける釣り具の構成では、竿を握る部分などのリールの糸巻胴部より後ろの部分には係止部材を設けないため、糸巻胴部の前に設けられている係止部材に糸巻胴部からコイル状に放出される糸が引っ掛かってしまうことがある。また、錘については、遊んでしまうことから、錘が、釣糸やリール又は釣竿の突出部分に引っ掛かって仕掛けが絡まってしまうことがある。
【０００５】
これに対して、リール本体のハンドル設置側と反対側の側部において、ハンドル駆動軸上に釣針ホルダーを外方へ向けて突設すると共に、このホルダーの先端の側面に、釣針係止部を、ハンドルの操作で回転するロータの腕部の回転軌跡より外側に位置するように配置した魚釣用スピニングリールが提案されている（特許文献４）。このリールでは、釣針が、スプールの糸巻胴部の後方で釣針係止部に係止されるとともに、釣針係止部が、ハンドルの操作で回転するロータの腕部の回転軌跡より外側に配置されているため、糸巻胴部から釣竿の最初のガイドまでに存在する釣糸に釣針が引っ掛かって、仕掛けが絡まってしまうことを防止できる。
しかしながら、この文献で開示する構造では、錘の部分が遊んでしまい、これが、釣糸や釣り竿又はリールの突出部分に引っ掛かって、仕掛けが絡まってしまうことがある。また、この文献で開示する釣針ホルダーは、釣針係止部をロータの腕部の回転軌跡より外側に配置するために、大きな部材にしなければならず、リールが大きくなってしまう。また、その構造上、リール本体のハンドル設置側と反対側の側部以外の場所に設置することはできない。
また、この文献に記載するホルダーは、基本的に、リール本体に固定されるものと解され、ハンドルの設置位置に応じて、取り付け位置を変更して使用することは意図されていない。また、このホルダーの釣糸係止部は、ホルダーの先端の側壁に取り付けられ、当該側壁と共に回転するものであり、針を係止する際には、釣糸係止部を釣糸と対向する位置まで回転する必要がある。
【先行技術文献】
【特許文献】
【０００６】
【特許文献１】実開昭５６−１３１７７０号公報
【特許文献２】実開昭５５−１４２９７３号公報
【特許文献３】特許第３０５３７７１号公報
【特許文献４】特許第５１８０１１１号公報
【発明の概要】
【発明が解決しようとする課題】
【０００７】
本発明は、このような従来技術の問題に鑑み、仕掛けの糸の損傷を生じることなく、仕掛けの錘が釣糸やリール又は釣竿の構成部材に引っ掛かって仕掛けと釣糸が絡まってしまうのを効果的に防止することができるスピニングリールを提供することを第一の目的とする。
本発明はまた、リールを大型化することなく、仕掛けの錘が釣糸やリール又は釣竿の構成部材に引っ掛かって仕掛けと釣糸が絡まってしまうのを効果的に防止することができるスピニングリールを提供することを第二の目的とする。
本発明はまた、第一又は第二の目的を達成しながらも、リールの種々の箇所に錘を保持可能なスピニングリールを提供することを第三の目的とする。
本発明はまた、第一、第二又は第三の目的を達成しながらも、ハンドルの設置位置に応じて錘保持構造又は部材の設置位置を変更可能な釣用リールを提供することを第四の目的とする。
本発明はまた、第一、第二、第三又は第四の目的の目的を達成しながらも、全方位で錘を有する仕掛けと係合可能で簡単に錘を保持可能な錘保持構造又は部材を備えるスピニングリールを提供することを第五の目的とする。
【課題を解決するための手段】
【０００８】
本発明者らは、このような課題を解決するために、以下のスピニングリール、部材及び方法を提供する。
［１］リール本体と、脚部と、スプールと、ハンドルと、ロータとを備え、ハンドルの回転に連動して、ロータが回転し、スプールが前後動することで、該スプールの糸巻胴部に釣糸が巻かれるスピニングリールにおいて、
該糸巻胴部より後方に、該釣糸に取り付けられる仕掛けの錘を保持可能な構造又は部材を有する、釣り用リール。
［２］前記錘を保持可能な構造又は部材を、前記脚部、前記スプールの後端鍔部、及び前記ロータの腕部の少なくとも１箇所に有する、［１］に記載のスピニングリール。
［３］前記錘を保持可能な構造又は部材を、前記リール本体のハンドル設置側と反対側の側面に有する、［１］又は［２］に記載のスピニングリール。
［４］前記ハンドル設置側と反対側の側面に、前記ハンドルを駆動軸に取り付けるための開口部を覆う着脱可能な蓋部を有し、該蓋部に前記錘を保持可能な構造又は部材が設けられている、［５］に記載のスピニングリール。
［５］前記錘を保持可能な構造又は部材は、回転可能に設けられている、［３］又は［４］に記載のスピニングリール。
［６］前記錘を保持可能な構造又は部材は、前記仕掛けの糸を導入可能な大きさの開口部が回転軸の軸方向に開口している錘保持部を有する、［５］に記載のスピニングリール。
［７］前記錘を保持可能な構造又は部材は、前記仕掛けを通過させ又は導入でき、且つ錘を保持可能な形状及び大きさの孔又は切り込みを有する、［１］〜［６］の何れかに記載のスピニングリール。
［８］前記錘を保持可能な構造又は部材は、前記仕掛けを導入できるように開口し、且つ錘を保持できる形状及び大きさの切込みを有する、［７］に記載のスピニングリール。
［９］更に、前記仕掛けの経路を決定するガイドを備える、［１］〜［８］の何れかに記載のスピニングリール。
［１０］前記錘を保持可能な構造又は部材は、前記仕掛けの経路を決定するガイドとして機能可能である、［１］〜［９］の何れかに記載のスピニングリール。
［１１］前記錘を保持可能な構造又は部材を、２以上有し、その内の少なくとも１つが、前記仕掛けの経路を決定するガイドとして機能可能である、［１］〜［１０］の何れかに記載のスピニングリール。
［１２］前記錘を保持可能な構造又は部材を、前記脚部と、前記リール本体のハンドル設置側と反対側の側面とに有し、前記脚部に有する前記錘を保持可能な構造又は部材は前記仕掛けの経路を決定するガイドとして機能可能である、［３］〜［１１］の何れかに記載のスピニングリール。
［１３］前記脚部が、その少なくとも一部がスプール軸方向に傾斜しており、前記仕掛けを該傾斜した部分を介して前記リール本体のハンドル設置側と反対側の側面に有する前記錘を保持可能な構造又は部材に導き、該構造又は部材に前記錘を保持可能となっている、［３］〜［１２］の何れかに記載のスピニングリール。
［１４］更に、釣針を保持可能な構造又は部材を有する、［１］〜［１３］の何れかに記載のスピニングリール。
［１５］スピニングリールのハンドルを駆動軸に取り付けるための開口部を覆う着脱可能な蓋であって、錘を保持可能な構造又は部材が設けられており、同構造又は部材における錘保持部は、回転可能であり、仕掛けの糸を導入可能な大きさの開口部が回転軸の軸方向に開口している、蓋。
［１６］［１３］に記載のスピニングリールを用いて、仕掛けの錘を保持する方法。
【０００９】
本発明の一の実施の形態では、リールの糸巻胴部より後ろに錘を保持可能な構造又は部材が設けられているため、糸巻胴部から釣竿のガイドを至る経路で存在する釣糸に、錘が引っ掛かることを効果的に防止することができる。また、錘自体が錘を保持可能な構造又は部材に保持されるために、仕掛けの糸が損傷することを効果的に防止することができる。
また、本発明の他の実施の形態では、錘を保持可能な構造又は部材を脚部等に設けているため、或いは仕掛けの経路を決定するガイドをリールに設けているので、ロータ腕部の回転軌跡より半径方向外方で錘を保持可能にするために保持部材を大きくする必要は無い。
本発明の更に他の実施の形態では、錘を保持可能な構造若しくは部材又はその錘保持部分は、単なる切込み及び／又は孔で形成されるため、動作を伴う部材に設けることが可能であり、しかも仕掛けの経路を決定するガイドとしても機能し得る。また、このような構造又は部材では、糸の張力（糸の伸び、又は竿の曲げ力から得られる）により錘が部材に押圧され、糸が張った状態になるため、仕掛けの糸と周囲の部材との接触が回避されて糸が損傷するのを効果的に防止できる。
更に他の実施の形態によれば、錘を保持可能な構造又は部材は、仕掛けの糸を導入するための開口部が、（好ましくはハンドル駆動軸と同心の）回転軸の軸方向に開口している錘保持部を有しており、これにより、錘保持部材は、全方位から仕掛けの糸と係合でき、簡単な操作で錘を保持できる。
【図面の簡単な説明】
【００１０】
【図１】図１は、釣竿にリールを取り付け、端部に仕掛けが取り付けてある釣糸をリールに巻き上げた状態を示す模式図である。
【図２】図２は、図１に示すリールとリールを取り付けた釣竿の部分の周辺を示す模式図である。
【図３】図３は、本発明の一の実施形態によるスピニングリールを、ハンドル設置側の反対側から見た模式図である。
【図４】図４は、図３のスピニングリールを、Ｙ方向から見た模式図である。
【図５】図５（ａ）は、図３においてＣで示す脚部をＸ方向から見た模式図であり、図５ｂは、図３においてＣで示す脚部の断面図である。但し、図５（ｂ）では、錘を含む仕掛けの一部が追記され、錘保持且つ仕掛け位置決めのための構造に仕掛けが係合している状態を示す。
【図６】図６は、図３においてＡで示すロータ腕部の一部の断面図である。但し、図６では、錘を含む仕掛けの一部が付記され、錘保持且つ仕掛け位置決めのための構造に仕掛けが係合している状態を示す。
【図７】図７（ａ）、図７（ｂ）、及び図７（ｃ）は、それぞれ、脚部、ロータ腕部及びスプール後端鍔部に設けられた錘保持構造又は部材の変形例を示す模式図である。
【図８】図８（ａ）は、図３においてＢで示す錘保持部材を拡大して示す模式図であり、図８（ｂ）は、図４においてＤで示す錘保持部材の断面図である。但し、図８（ａ）では、錘を含む仕掛けの一部が付記され、錘保持部材に錘が保持されている状態を示す。
【図９】図９（ａ）は、図３に示すスピニングリールにおいて、仕掛けの糸を、脚部の錘保持構造を介して、ハンドル設置側と反対側のリール本体側部に設けた錘保持部材に到らせて、当該錘保持部材で錘を保持した状態を示す模式図である。図９（ｂ）は、脚部に孔及び切り込みの無いスピニングリールにおいて、仕掛けの糸を、脚部の傾斜部分を介して、ハンドル設置側と反対側のリール本体側部に設けた錘保持部材に到らせて、当該錘保持部材で錘を保持した状態を示す模式図である。
【符号の説明】
【００１１】
１：スピニングリール
２：リール本体
２ａ、２ｂ：リール本体側部（側面）
３：脚部
４：スプール
４ａ：糸巻胴部
４ｂ：後端鍔部
５：ロータ
５ａ、５ｂ：ロータ腕部
６：ベール
７：ハンドル
８：蓋部
９：錘を保持可能な構造又は部材（錘保持部材（ガイド））
１０：錘を保持可能な構造又は部材（錘保持部材（ガイド））
１１：錘を保持可能な構造又は部材（錘保持部材（ガイド））
１２：錘を保持可能な構造又は部材（錘保持部材（ガイド））
１３：錘を保持可能な構造又は部材（錘保持部材（ガイド））
１４：錘を保持可能な構造又は部材（錘保持部材（ガイド））
１５：錘を保持可能な構造又は部材（錘保持部材）
１５ａ：保持部
２０：仕掛け
２１：錘
２２：釣針
２３：釣糸
３０：釣竿
３１：ガイド
３２：先端
【発明を実施するための形態】
【００１２】
以下では、本発明の実施の形態を、図面を参照しながら説明する。但し、本発明は、以下の実施形態によって限定されるものではない。
【００１３】
図１は、釣竿にリールを取り付け、端部に仕掛けが取り付けてある釣糸をリールで巻き上げた状態を模式的に示す。図２は、釣竿に取り付けたリール及びリールを取り付け釣竿の部分の周辺を模式的に示す。リール１は、脚部３を介して釣竿３０に取り付けられる。釣糸２３は、スプール４の糸巻胴部４ａからロータ腕部５ｂを介して釣竿３０に設けられたガイド３１に導かれ、釣竿の先端３２から錘２１と釣針２２を有する仕掛け２０が垂れ下がっている。この状態では、仕掛け２０は、ぶらぶらした状態であり、動きは制限されない。
図３及び図４は、本発明の一の実施形態によるスピニングリールを示す模式図である。図５（ａ）は、図３においてＣで示す脚部をＸ方向から見た模式図であり、図５（ｂ）は、図３においてＣで示す脚部の断面図である。図６は、図３においてＡで示すロータ腕部の一部断面図であり、図７（ａ）、図７（ｂ）、図７（ｃ）は、それぞれ、脚部、ロータ腕部及びスプール後端鍔部に設けられた錘保持構造又は部材の変形例を示す模式図であり、図８（ａ）は、図３においてＢで示すリール本体のハンドル設置側と反対側の側面に設けた錘保持部材の拡大図であり、図８（ｂ）は、図４においてＤで示す当該錘保持部材の断面図であり、図９（ａ）及び図９（ｂ）は、図３及び図４に示すリールを利用して錘を保持する例を示す。なお、これらの図面は、本発明の説明に必要のない構成は省略している。
【００１４】
図３及び図４に示す通り、スピニングリール１は、主な構成部材として、リール本体２と、脚部３と、スプール４と、ハンドル７と、ロータ５とを備え、ハンドル７の回転に連動して、ロータ５が回転し、スプール４が前後動することで、釣糸（図示せず）がロータ腕部５ｂを介してスプール糸巻胴部４ａに巻き取られる。釣糸を放出する場合には、ベール６を開放位置にして釣糸を釣竿のガイドを介して放出可能にする。図３及び図４では、左手で操作可能な位置にハンドル７が設置され、反対側のリール本体側部２ｂでは、ハンドル７を駆動軸（図示せず）に連結させるための開口部が蓋部８で覆われている。右手で操作可能にする場合には、ハンドル７を取り外し、蓋部８を取り外して、反対側２ｂの開口部から駆動軸にハンドル７を取り付け、ハンドル７を取り外した側２ａの開口部に蓋８をすればよい。リール１は、脚部３によって釣竿に取り付けられ、脚部３は、リール本体２と一体的に形成されてもよく、別部材として形成されてもよい。脚部３の形状については、特に制限は無いが、少なくとも一部でスプール軸方向に対して傾斜した部分を有することが好ましい。
【００１５】
図３及び図４に示す実施形態では、仕掛けの錘を保持可能な構造又は部材（以下、錘保持部材という）９、１０、１１、１５は、スプール４の糸巻胴部４ａより後方に設けられている。錘保持部材がこの位置で設けられることで、糸巻胴部４ａから釣竿のガイドに至って存在する釣糸に、仕掛けの錘が引っ掛かることを効果的に防止することができる。従って、錘保持部材は、スプール４の糸巻胴部４ａより後方に位置するリール１の種々の部位に設けることができる。後述する通り、本発明の錘保持部材は、好ましい実施形態において、単純な構造とすることができるため、図３及び図４に示す実施形態のように、錘保持部材１０、１１を、スプール４の後端鍔部４ｂ、ロータの腕部５ａといった回転動作や前後動などの動作を伴う部材に設けることができる。また、図３及び図４に示す実施形態のように、錘保持部材９を、脚部３に設けることも好ましい。脚部３に設けられた錘保持部材９では、仕掛けを錘保持部材９で固定した状態でロータ５を回転する場合でも、仕掛けの経路がロータ腕部５ａ、５ｂの回転軌道の外にあり、ロータ５の回転運動を妨げない。
【００１６】
図３及び図４に示す実施形態のように、錘保持部材１５は、リール本体２に設けることもできる。この場合、図３及び図４に示すように、リール本体２のハンドル設置側２ａと反対側の側面２ｂに設けることが好ましい。この位置は、特に構成部材が設けられないことが多く、この領域を錘を保持するために活用でき、釣人にとっても、作業し易い領域である。
【００１７】
錘保持部材の構造又は形状は、錘を保持できる構造又は形状であれば特に制限は無いが、好ましい実施形態として、図３、図４、図５（ａ）、図５（ｂ）、及び図６に示すような貫通孔９、１０、１１や、図７（ａ）、図７（ｂ）、及び図７（ｃ）に示すような切り込み１２、１３、１４といった簡単な形状又は構造を挙げることができる。例えば、図３、図４、図５（ａ）、図５（ｂ）、及び図６に示すように、錘２１が通過可能な大きさを有する部分９ｂ、１０ｂ、１１ｂと、仕掛け２０の糸だけが通過可能な部分９ａ、１０ａ、１１ａとで構成される貫通孔９、１０、１１で構成することができる。この錘保持部材９、１０、１１では、仕掛け２０の錘２１を９ｂ、１０ｂ、１１ｂの部分を通じて貫通孔９を通し、仕掛け２０の糸を９ａ、１０ａ、１１ａ側に移動させた状態で引くと錘２１が９ａ、１０ａ、１１ａの開口部で保持される。従って、９ａ、１０ａ、１１ａの開口部は、錘の形状に概略対応する窪みを設けて窪みに錘が嵌まり込むようにするとよい。
図７（ａ）、図７（ｂ）、図７（ｃ）に示すような切り込み１２、１３、１４は、仕掛け２０の糸が通過可能であるが錘２１は通過できない幅で形成され、切り込み１２、１３、１４を設けた部材の外縁に達して開口している。この錘保持部材１２、１３、１４では、仕掛け２０の糸を切り込みの開口部１２ａ、１３ａ、１４ａから切り込み内に導入し、仕掛け２０の糸を引くと錘２１が切り込みの端部で保持される。この錘保持部材１２、１３、１４でも、錘２１が保持される箇所に、錘２１の形状に概略対応する窪みを形成しておき、窪みに錘２１が嵌まり込むようにすることが好ましい。なお、切り込みの形状は様々な形状にすることができる。また、この錘保持部材では、糸の張力により錘が部材に押圧され、仕掛けの糸が周囲の部材と非接触の状態になるため、糸が損傷するのを効果的に防止できる。
【００１８】
図３及び図４に示すように、リール本体２のハンドル設置側２ａと反対側の側面２ｂには、ハンドル７の設置位置を変更可能とするために、ハンドル駆動軸へのハンドル７の取り付けを可能とする開口部が形成され、ハンドル７が取り付けられない場合には、この開口部を覆う蓋部８が設けられることが多い。従って、リール本体２のハンドル設置側２ａと反対側の側面２ｂに錘保持部材を設ける場合には、この蓋部８を錘保持部材として構成することが好ましい。例えば、図４及び図８ｂに示すように、蓋部８を錘保持部１５ａが突設された錘保持部材１５とすることができる。この実施形態において、錘保持部１５ａは回転可能に取り付けられ、錘保持部材１５に保持される錘２１の向きに応じて、適切に錘保持部１５ａを位置付けられるようになっている。具体的には、図８ｂに示す通り、リール本体２に形成された螺子１５ｈに螺合するナット１５ｉで、錘保持部１５ａが保持されるが、錘保持部１５ａはリール本体２から独立して構成され、回転可能になっている。また、錘保持部１５ａは、Ｏリング１５ｊ、ヘキサリング１５ｋを介して取り付けられており、所望の位置まで回転させると、摩擦により錘保持部１５ａの向きがそのまま維持されるようになっている。
この錘保持部材１５では、錘保持部１５ａが駆動軸と同心の回転軸を有しており、仕掛けの糸を導入可能な大きさの開口部１５ｂが、回転軸Ｚの軸方向に開口している。このような開口部１５ｂを有する錘保持部１５ａとすると、全方位で仕掛けの糸を錘保持部１５ａに導入可能になり、釣人は、簡単な操作で仕掛けの錘を保持することができる。具体的には、回転軸の軸方向に開口している開口部１５ｂから、仕掛けの糸を錘保持部１５ａに導入し、その後糸を引っ張る事で錘を保持することができる。このため、この錘保持部材１５でも、錘が保持される箇所は、略円形の貫通孔１５ｃが形成され、この貫通孔１５ｃの周りに、錘の形状に概略対応する窪み１５ｄが形成されており、これにより、窪み１５ｄに錘が嵌まり込むようになっている。
この実施形態では、錘保持部材１５が蓋部８として機能するように構成されており、錘保持部材１５は、着脱可能になっている。従って、ハンドル７を設ける位置に応じて本体側面の左右何れにも設置可能である。
【００１９】
本発明においては、図９ｂに示すように錘保持部材１５を１箇所だけに設けてよいが、図３及び図４に示すように、２箇所以上に設けてもよく、例えば、図３及び図４に示すように、脚部３、スプールの後端鍔部４ｂ、ロータの腕部５ｂ及びリール本体２（ハンドル設置側２ａと反対側の側面２ｂ）の１箇所又は２箇所以上に錘保持部材９、１０、１１、１５を設けることができる。
【００２０】
また、仕掛けの経路を決定するガイド（図示せず）をリールに設けて、ガイドを経由させて仕掛けの錘を錘保持部材に保持する構成にすることもできる。例えば、仕掛けの経路がロータなどの動作を伴う部材の動作範囲に入らないように、仕掛けを、例えば脚部などの所定の位置に設けられたガイドを経由させて、リール本体などの他の部位に設けた錘保持部材に導き、当該錘保持部材に錘を保持させる構成を一例として挙げることができる。
この際、前述した錘保持部材９、１０、１１、１２、１３、１４を、ガイドとして利用することもできる。すなわち、前述した錘保持部材９、１０、１１、１２、１３、１４、１５を複数設け、１つの錘保持部材９、１０、１１、１２、１３、１４を経由させて他の部位に設けた錘保持部材１５に導き、当該錘保持部材１５に錘２１を保持させることもできる。
図９は、１つの錘保持部材をガイドとして機能させ、これを経由して他の部位に設けた錘保持部材に錘を保持させた好ましい実施形態を示す。
この実施形態では、脚部３に設けられた錘保持部材９をガイドとして機能させており、その形状又は構造は前述の通りである。仕掛け２０が、脚部３に設けられた錘保持部材９を経由すると、仕掛け２０の経路はロータ腕部５ａ、５ｂの軌道範囲の外になり、仕掛け２０がロータ５の運動を妨げることがなくなる。仕掛け２０は、脚部３に設けられた錘保持部材９を通過した後、リール本体２（この実施形態では、リール本体２のハンドル設置側２ａと反対側の側面２ｂ）に設けられた錘保持部材１５に導かれ、保持部１５ａに錘が保持される。このような構成とすれば、保持部１５ａがロータの腕部５ａ、５ｂの回転軌道の外に位置させるように錘保持部材１５を大きくする必要はない。なお、このような仕掛けの経路を制御する構成は、種々の位置に設けられた複数の錘保持部材（ガイド）の組み合わせで可能なことは言うまでもない。
また、図９ｂに示すように、脚部３を少なくとも一部がスプール軸に対して傾斜している形状とするなど、部材の一部をガイドとして機能し得る形状とし、当該部材を経由させて他の部位に設けた錘保持部材１５に導き、当該錘保持部材１５に錘２１を保持させることもできる。
【００２１】
本発明によるリールでは、更に、釣針を保持可能な構造又は部材を有してもよい。例えば、脚部に釣針を保持可能な構造又は部材を設け、リール本体のハンドル設置側と反対側の側面に設けた錘保持部材で、錘を保持させる構造を挙げることができる。
【産業上の利用可能性】
【００２２】
以上の通り、本発明によれば、仕掛けの錘が釣糸やリール又は釣竿の構成部材に引っ掛かって仕掛けと釣糸が絡まってしまうのを効果的に防止することができる錘保持構造又は部材を備えるスピニングリールが提供される。
【図１】
2018014954.tif 000003
【図２】
2018014954.tif 000004
【図３】
2018014954.tif 000005
【図４】
2018014954.tif 000006
【図５】
2018014954.tif 000007
【図６】
2018014954.tif 000008
【図７】
2018014954.tif 000009
【図８】
2018014954.tif 000010
【図９】
2018014954.tif 000011